(57)【要約】【課題】エアゾール容器において、操作レバーの誤操作を簡易に防止すること。【解決手段】肩カバー１５に支持した操作レバー２０によりスパウト１４を押動操作可能にしたエアゾール容器１０であって、保護レバー２０は肩カバー１５の内部の格納位置と、肩カバー１５から取出される使用位置とに切換設定されるもの。【選択図】　図１
2004097888.tif 000002
【特許請求の範囲】
【請求項１】
容器本体の天面部にステムを有し、ステムにスパウトを接続し、容器本体の天面部に肩カバーを固定し、肩カバーに支持した操作レバーによりスパウトを押動操作可能にしたエアゾール容器であって、
操作レバーは肩カバーの内部の格納位置と、肩カバーから取出される使用位置とに切換設定可能にされるエアゾール容器。
【請求項２】
前記操作レバーが格納位置で、スパウトの吐出口を覆う請求項１に記載のエアゾール容器。
【請求項３】
前記操作レバーが使用位置で、肩カバーの側面外に出る請求項１又は２に記載のエアゾール容器。
【請求項４】
前記操作レバーが使用位置で、肩カバーの天面外に出る請求項１又は２に記載のエアゾール容器。
【発明の詳細な説明】
【０００１】
【発明の属する技術分野】
本発明はエアゾール容器に関する。
【０００２】
【従来の技術】
エアゾール容器として、スパウトを押動操作する操作レバーを肩カバーの内外に延在させ、操作レバーの不使用時にはこの操作レバーの操作部をハンドル部によって被覆し、操作レバーの使用時にはハンドル部を移動することによってこの操作レバーの操作部を操作可能とするものがある。これにより、店頭陳列時、保管時等の不使用時に誤って操作レバーを操作できないようにしている（特許文献１）。
【０００３】
【特許文献１】
実開平２−１０８７５８号公報（１頁、第１図）
【０００４】
【発明が解決しようとする課題】
▲１▼不使用時の操作レバーを納めるために格別のハンドル部を必要とする。
▲２▼スパウトの吐出口は常に外部に露出していて保護されていない。
【０００５】
本発明の課題は、エアゾール容器において、操作レバーの誤操作を簡易に防止することにある。
【０００６】
本発明の他の課題は、エアゾール容器の不使用時にスパウトの吐出口を保護することにある。
【０００７】
【課題を解決するための手段】
請求項１の発明は、容器本体の天面部にステムを有し、ステムにスパウトを接続し、容器本体の天面部に肩カバーを固定し、肩カバーに支持した操作レバーによりスパウトを押動操作可能にしたエアゾール容器であって、操作レバーは肩カバーの内部の格納位置と、肩カバーから取出される使用位置とに切換設定可能にされるものである。
【０００８】
【発明の実施の形態】
エアゾール容器１０は、図１、図２に示す如く、容器本体１１に薬剤、洗浄剤等の内容物を収容し、容器本体１１の天面部を構成するように容器本体１１に封着されたマウンテンカップ１２（天面部）によりその内容物を噴射剤とともに封入している。エアゾール容器１０は、マウンテンカップ１２に取着したバルブ内蔵部にばねにより吐出方向に付勢した状態でステム１３を起立させ、このステム１３にスパウト１４を挿着して接続し、スパウト１４を囲む肩カバー１５をマウンテンカップ１２の外縁カール部１２Ａに固定している。
【０００９】
スパウト１４は、てこ式レバーであり、後端部を支持ピン１６によって肩カバー１５に揺動支持し、前端部に操作レバー２０を設け、前端部と後端部の中間部にステム１３を挿着している。肩カバー１５はスパウト１４を囲むカバー本体部１５Ａに前面開口部１５Ｂを形成するとともに、支持ピン１６を支持する支え板部１５Ｃを有する。スパウト１４はステム１３に連通する吐出口１４Ａを肩カバー１５の前面開口部１５Ｂから外方に向けている。
【００１０】
エアゾール容器１０では、容器本体１１を包み持った使用者の手指のトリガー操作力で操作レバー２０を引き、スパウト１４を肩カバー１５に支持している支持ピン１６のまわりに揺動させて押動操作することで、ステム１３をバルブ内蔵部のばねに抗して押し込み、ステム１３の孔を導通させ、容器本体１１の内容物をディップチューブ（不図示）経由でこのステム１３の孔を介してスパウト１４の吐出口１４Ａから噴射状に吐出する。
【００１１】
しかるに、操作レバー２０は、スパウト１４の前端部（吐出口１４Ａより下部）に薄肉ヒンジ部２１を介して回転可能に連結されている。これにより、操作レバー２０は、肩カバー１５のカバー本体部１５Ａの内部に納められる格納位置（図１（Ａ）、図２（Ａ））と、肩カバー１５のカバー本体部１５Ａの内部から前面開口部１５Ｂを通って肩カバー１５の前側の側面外に取出される使用位置（図１（Ｂ）、図２（Ｂ））とに切換設定可能とされる。
【００１２】
操作レバー２０は、格納位置でスパウト１４の吐出口１４Ａの前方及び上方を外部空間に対して遮る位置に停留し、吐出口１４Ａを覆う（図２（Ａ））。尚、操作レバー２０は、格納位置で、使用位置の側への自由な回転を制止し得るなんらかの係止機構部を肩カバー１５との間に備えることが望ましい。
【００１３】
操作レバー２０は、使用位置で、ヒンジ部２１の側傍の基端背面２２をスパウト１４の前端下部に設けた傾斜状衝合面１４Ｂに衝合し（図２（Ｂ））、肩カバー１５の前方の側面外にて前方斜め下方に位置付け、容器本体１１の上部背面を包んだ使用者の手の指先にこの操作部２０Ａを引っかけ可能とし、この操作部２０Ａに加えるトリガー操作力をスパウト１４に伝える。これにより、前述の如く、スパウト１４を肩カバー１５に支持している支持ピン１６のまわりに揺動させてステム１３を押し込み、スパウト１４の吐出口１４Ａから内容物を噴射状に吐出する。
【００１４】
本実施形態によれば以下の作用がある。
（請求項１に対応する作用）
▲１▼操作レバー２０を不使用時に肩カバー１５の内部に格納し、操作レバー２０を誤って操作する誤操作を防止できる。操作レバーを納めるための格別な部材を容易する必要がなく、簡易である。
【００１５】
（請求項２に対応する作用）
▲２▼エアゾール容器１０の不使用時に、格納位置にある操作レバー２０がスパウト１４の吐出口１４Ａを覆ってこれを保護できる。
【００１６】
（請求項３に対応する作用）
▲３▼操作レバー２０を使用時に肩カバー１５の側面外に出すことで、容器本体１１を握った手によるトリガー操作を可能にし、エアゾール容器１０を片手で操作できる。
【００１７】
図３のエアゾール容器３０が図１、図２のエアゾール容器１０と実質的に異なる点は、図３（Ａ）の格納位置から図３（Ｂ）、（Ｃ）の使用位置に切換設定した操作レバー２０の操作部２０Ａを、肩カバー１５の前方の側面外にて前方水平方向に位置付けるようにしたことにある。尚、エアゾール容器３０の操作レバー２０は、格納位置に設定された操作部２０Ａがスパウト１４の吐出口１４Ａに干渉しないように操作部２０Ａに内向きに凹状をなす凹部２０Ｂを付与している。
【００１８】
エアゾール容器３０では、容器本体１１をテーブル面等に据え置きした使用状態で、使用者の手指により操作レバー２０の操作部２０Ａを下方に押し下げる手押し操作力をスパウト１４に伝える。これにより、スパウト１４を肩カバー１５に支持している支持ピン１６のまわりに揺動させてステム１３を押し込み、スパウト１４の吐出口１４Ａから内容物を噴射状に吐出させ、エアゾール容器３０を片手操作できる。
【００１９】
図４のエアゾール容器４０が図１、図２のエアゾール容器１０と実質的に異なる点は、エアゾール容器１０の操作レバー２０に代わる操作レバー４１を用いたことにある。操作レバー４１は、肩カバー１５においてスパウト１４の吐出口１４Ａに対する反対側に凹設した上面切欠部１５Ｄの内部に納められる格納位置（図４（Ａ））と、肩カバー１５の上面切欠部１５Ｄから肩カバー１５の天面外に取出される使用位置（図４（Ｂ）、（Ｃ））とに切換設定可能とされる。
【００２０】
操作レバー４１は、格納位置で、使用位置の側への自由な回転を制止し得る何らかの係止機構部を肩カバー１５との間に備えることが望ましい。
【００２１】
操作レバー４１は、使用位置で、ヒンジ部４２の側傍の衝合面４３（格納位置で上面をなす）をスパウト１４の天面１４Ｃに衝合し（図４（Ｂ）、（Ｃ））、操作部４１Ａを肩カバー１５の天面外に位置付ける。
【００２２】
エアゾール容器４０では、容器本体１１をテーブル面上に据え置きした使用状態で、使用者の手指により操作レバー４１の操作部４１Ａを下方に押し下げる手押し操作力をスパウト１４に伝える。これにより、スパウト１４を肩カバー１５に支持している支持ピン１６まわりに揺動させてステム１３を押し込み、スパウト１４の吐出口１４Ａから内容物を噴射状に吐出させ、エアゾール容器４０を片手操作できる。
【００２３】
本発明において、操作レバーは肩カバーに揺動支持されるものに限らず、直線動可能に支持されるものでも良い。
【００２４】
【発明の効果】
本発明によれば、エアゾール容器において、操作レバーの誤操作を簡易に防止防止できる。また、本発明によれば、エアゾール容器の不使用時にスパウトの吐出口を保護できる。
【図面の簡単な説明】
【図１】図１は第１実施形態のエアゾール容器を示す模式図である。
【図２】図２は図１の要部断面図である。
【図３】図３は第２実施形態のエアゾール容器を示す模式図である。
【図４】図４は第３実施形態のエアゾール容器を示す模式図である。
【符号の説明】
１０、３０、４０　エアゾール容器
１１　容器本体
１２　マウンテンカップ（天面部）
１３　ステム
１４　スパウト
１４Ａ　吐出口
１５　肩カバー
２０、４１　操作レバー
【図１】
2004097888.tif 000003
【図２】
2004097888.tif 000004
【図３】
2004097888.tif 000005
【図４】
2004097888.tif 000006